(57)【要約】【課題】  ＯＰＧＷ心線の障害点が接続箱内であるか接続箱外のどの区間のＯＰＧＷであるかを確実に判定することができ、しかもＯＴＤＲ手法を用いず，鉄塔上部という厳しい環境下でも簡単に構成可能なＯＰＧＷの障害点判定システムおよび障害点判定方法を提供する。【解決手段】  一方のＯＰＧＷ１１の一端部と他方のＯＰＧＷ１２の一端部とを接続する上部接続箱５に、上部接続箱５側に入力される光信号である入力光信号Ｓ１と、上部接続箱５側から出力される光信号である出力光信号Ｓ１ａとを検出する第１の上り光カプラ５３１と第２の上り光カプラ５４１と光センサ５７１および、その検出結果を監視センタＣに送信する検出通信端末５７を備える。一方、監視センタＣに、上部接続箱５から受信した検出結果と、第１の変電所Ｔ１の通信状態と、第２の変電所Ｔ２の通信状態とに基づいて、障害点を判定する判定タスクＣ１を備える。【選択図】  図４
2009092477.tif 000002
【特許請求の範囲】
【請求項１】
ＯＰＧＷの障害点を判定するＯＰＧＷの障害点判定システムであって、
一方のＯＰＧＷの一端部と他方のＯＰＧＷの一端部とを接続する接続箱に、
接続箱側に入力される光信号である入力光信号と、接続箱側から出力される光信号である出力光信号とを検出する光信号検出手段と、
前記光信号検出手段による検出結果を外部に送信する通信手段と、を備え、
前記接続箱から受信した検出結果と、前記一方のＯＰＧＷの他端部の通信状態と、前記他方のＯＰＧＷの他端部の通信状態とに基づいて、障害点を判定する判定手段を備えることを特徴とするＯＰＧＷの障害点判定システム。
【請求項２】
前記光信号検出手段は、前記入力光信号を分光する第１の分岐装置と、前記出力光信号を分光する第２の分岐装置とを備え、前記第１の分岐装置によって分光された一部の光信号を検出することで入力光信号を検出し、前記第２の分岐装置によって分光された一部の光信号を検出することで出力光信号を検出することを特徴とする請求項１に記載のＯＰＧＷの障害点判定システム。
【請求項３】
前記光信号を増幅する増幅器を備えることを特徴とする請求項２に記載のＯＰＧＷの障害点判定システム。
【請求項４】
ＯＰＧＷの障害点を判定するＯＰＧＷの障害点判定方法であって、
一方のＯＰＧＷの一端部と他方のＯＰＧＷの一端部とを接続する接続箱において、接続箱側に入力される光信号である入力光信号と、接続箱側から出力される光信号である出力光信号とを検出し、
その検出結果と、前記一方のＯＰＧＷの他端部の通信状態と、前記他方のＯＰＧＷの他端部の通信状態とに基づいて、障害点を判定することを特徴とするＯＰＧＷの障害点判定方法。
【発明の詳細な説明】
【技術分野】
【０００１】
この発明は、光ファイバ複合架空地線（ＯＰＧＷ：ＯＰｔｉｃａｌ  Ｇｒｏｕｎｄ  Ｗｉｒｅ、以下、「ＯＰＧＷ」という）の障害点（故障点）を判定するＯＰＧＷの障害点判定システムおよび障害点判定方法に関する。
【背景技術】
【０００２】
ＯＰＧＷは、雷遮蔽を目的として送電線の上方に架線される架空地線（架空送電線）に、光ファイバを内蔵して通信機能を付加したものである。このＯＰＧＷは、接続箱を介してＯＰＧＷの端部同士を接続しながら、送電線鉄塔の頂部間に張られた状態で、例えば数百キロメートルという長距離に渡って架設される。このようなＯＰＧＷの障害点を検出、判定する方法として、ＯＴＤＲ（Ｏｐｔｉｃａｌ  Ｔｉｍｅ  Ｄｏｍａｉｎ  Ｒｅｆｌｅｃｔｏｍｅｔｅｒ）を利用した方法が知られている（例えば、特許文献１参照。）。この判定方法は、センタなどに設けられたＯＴＤＲから光ファイバにパルス光を入射し、終端末や障害点などから反射される反射光を時間領域で受信、測定することで、障害点の位置を判定するものである。
【特許文献１】特開平０５−１２６６７４号公報
【発明の開示】
【発明が解決しようとする課題】
【０００３】
ところで、ＯＰＧＷに障害が生じた場合、その障害点を正確に確認、特定した上で、障害点に応じた改修作業などを行う必要がある。すなわち、障害点が接続箱内であるか、あるいは接続箱外のどの区間のＯＰＧＷであるかを確認した上で改修作業などを行う必要がある。これに対し、上記のＯＴＤＲを利用した方法では、障害点からの反射光に基づいて障害点を判定するため、正確に（精度高く）障害点を判定することができず、障害点が接続箱内であるか接続箱外であるか判定することができない。このため、この判定方法によって大体の障害点を推定した後に、その推定障害点の周辺を目視などによって点検し、障害点を特定する必要がある。しかしながら、このような点検は鉄塔の頂部間に架設されているＯＰＧＷに対して行わなければならないため、多大な労力と時間とを要する。
【０００４】
そこでこの発明は、障害点が接続箱内であるか接続箱外のどの区間のＯＰＧＷであるかを確実に判定することができるＯＰＧＷの障害点判定システムおよび障害点判定方法を提供することを目的とする。
【課題を解決するための手段】
【０００５】
上記目的を達成するために請求項１に記載の発明は、ＯＰＧＷの障害点を判定するＯＰＧＷの障害点判定システムであって、一方のＯＰＧＷの一端部と他方のＯＰＧＷの一端部とを接続する接続箱に、接続箱側に入力される光信号である入力光信号と、接続箱側から出力される光信号である出力光信号とを検出する光信号検出手段と、前記光信号検出手段による検出結果を外部に送信する通信手段と、を備え、前記接続箱から受信した検出結果と、前記一方のＯＰＧＷの他端部の通信状態と、前記他方のＯＰＧＷの他端部の通信状態とに基づいて、障害点を判定する判定手段を備えることを特徴とする。
【０００６】
この発明によれば、接続箱から入力光信号および出力光信号の検出結果が送信されると、判定手段によって検出結果とＯＰＧＷの他端部の通信状態とに基づいて障害点が判定される。例えば、一方のＯＰＧＷ側から他方のＯＰＧＷ側への光通信において、一方のＯＰＧＷの他端部の通信状態が正常（光レベル有り）で、入力光信号は検出されているが出力光信号が検出されず、他方のＯＰＧＷの他端部の通信状態が異常（光レベルなし）の場合には、障害点が接続箱内であると判定される。
【０００７】
請求項２に記載の発明は、請求項１に記載のＯＰＧＷの障害点判定システムにおいて、前記光信号検出手段は、前記入力光信号を分光する第１の分岐装置と、前記出力光信号を分光する第２の分岐装置とを備え、前記第１の分岐装置によって分光された一部の光信号を検出することで入力光信号を検出し、前記第２の分岐装置によって分光された一部の光信号を検出することで出力光信号を検出することを特徴とする。
【０００８】
請求項３に記載の発明は、請求項２に記載のＯＰＧＷの障害点判定システムにおいて、前記光信号を増幅する増幅器を備えることを特徴とする。
【０００９】
請求項４に記載の発明は、ＯＰＧＷの障害点を判定するＯＰＧＷの障害点判定方法であって、一方のＯＰＧＷの一端部と他方のＯＰＧＷの一端部とを接続する接続箱において、接続箱側に入力される光信号である入力光信号と、接続箱側から出力される光信号である出力光信号とを検出し、その検出結果と、前記一方のＯＰＧＷの他端部の通信状態と、前記他方のＯＰＧＷの他端部の通信状態とに基づいて、障害点を判定することを特徴とする。
【発明の効果】
【００１０】
請求項１および４に記載の発明によれば、接続箱における入力光信号および出力光信号の有無と、ＯＰＧＷの他端部の通信状態とに基づいて障害点を判定するため、障害点が接続箱内であるか接続箱外のどの区間のＯＰＧＷであるか（一方のＯＰＧＷか他方のＯＰＧＷか）を確実に判定することができる。また、接続箱に光信号検出手段と通信手段とを備えるだけでよいため、構成を簡単にすることができる。
【００１１】
請求項２に記載の発明によれば、光信号検出手段として光カプラなどの第１の分岐装置と第２の分岐装置とを備えればよいため、構成をより簡単にすることができる。しかも光カプラなどは耐環境性が高いため、鉄塔の頂部という厳しい環境（温度、湿度、振動など）下においても、その機能を維持することができる。
【００１２】
請求項３に記載の発明によれば、第１の分岐装置や第２の分岐装置によって光信号の光レベルが減衰しても、増幅器によって光信号が増幅されるため、光レベルを適正に維持することができる。
【発明を実施するための最良の形態】
【００１３】
以下、この発明を図示の実施の形態に基づいて説明する。
【００１４】
図１は、この実施の形態に係るＯＰＧＷの障害点判定システム（以下、適宜「障害点判定システム」という）の概略構成図である。この実施の形態では、第１の変電所Ｔ１から第４の変電所Ｔ４に掛けて、ＯＰＧＷ１が複数の送電線鉄塔Ｐの頂部間に架設されており、障害点判定システムは、ＯＰＧＷ１に通信障害が生じた場合に、その障害点を判定するシステムである。
【００１５】
ＯＰＧＷ１は、次のような複数の区間ＯＰＧＷ１１〜１６から構成されている。すなわち、第１のＯＰＧＷ１１は、第１の変電所Ｔ１と第２の変電所Ｔ２との間に位置する第１の中間鉄塔Ｐ１と、第１の変電所Ｔ１との間に敷設され、第２のＯＰＧＷ１２は、第１の中間鉄塔Ｐ１と第２の変電所Ｔ２との間に敷設されている。第３のＯＰＧＷ１３は、第２の変電所Ｔ２と第３の変電所Ｔ３との間に位置する第２の中間鉄塔Ｐ２と、第２の変電所Ｔ２との間に敷設され、第４のＯＰＧＷ１４は、第２の中間鉄塔Ｐ２と第３の変電所Ｔ３との間に敷設されている。第５のＯＰＧＷ１５は、第３の変電所Ｔ３と第４の変電所Ｔ４との間に位置する第３の中間鉄塔Ｐ３と、第３の変電所Ｔ３との間に敷設され、第６のＯＰＧＷ１６は、第３の中間鉄塔Ｐ３と第４の変電所Ｔ４との間に敷設されている。ここで、第１の変電所Ｔ１（第１のＯＰＧＷ１１）側から第４の変電所Ｔ４（第６のＯＰＧＷ１６）側への光通信を上り側とし、第４の変電所Ｔ４側から第１の変電所Ｔ１側への光通信を下り側とする。また、ＯＰＧＷ１の通信状態を監視などする監視センタＣは、各変電所Ｔ１〜Ｔ４および後述する上部接続箱（接続箱）５と無線通信可能に接続されている。
【００１６】
各変電所Ｔ１〜Ｔ４には通信機械室Ｒを備え、第１の変電所Ｔ１と第４の変電所Ｔ４の通信機械室Ｒには、伝送装置２と光配電盤３とが設置されている。また、第１の変電所Ｔ１と第４の変電所Ｔ４との間に位置する第２の変電所Ｔ２と第３の変電所Ｔ３の通信機械室Ｒには、光配電盤３が設置されている。
【００１７】
各変電所Ｔ１〜Ｔ４の鉄塔Ｐの下側には下部接続箱４が配設され、この下部接続箱４を介してＯＰＧＷ１と光ファイバケーブルとが接続されている。ここで、第２の変電所Ｔ２を例にして説明する。下部接続箱４は、図２に示すように、第１の下部接続箱４１と第２の下部接続箱４２とから構成され、第１の下部接続箱４１は、第２のＯＰＧＷ１２と第１の光ファイバケーブル１０１の端部同士を接続し、第２の下部接続箱４２は、第３のＯＰＧＷ１３と第２の光ファイバケーブル１０２の端部同士を接続する。また、第１の光ファイバケーブル１０１と第２の光ファイバケーブル１０２の他端部は、心線ごとに光配電盤３内に配設され、光ジャンパ線を介して第１の光ファイバケーブル１０１の心線と第２の光ファイバケーブル１０２の心線とが接続されている。これにより、光ファイバケーブル１０１、１０２を介して、第２のＯＰＧＷ１２と第３のＯＰＧＷ１３とが通信可能に接続されている。
【００１８】
さらに、光配電盤３には増幅器６が接続され、光配電盤３から増幅器６に入力された光信号の光レベルが増幅器６によって増幅され、増幅された光信号が光配電盤３に出力されるようになっている。このように増幅器６を設けているのは、後述する光カプラユニット５３、５４による光レベルの減衰を補うためであるが、減衰が許容範囲内であれば増幅器６を設けなくてもよい。ここで、増幅器６としては、エルビウム添加光ファイバなどを励起する希土類添加方式のものなどが挙げられる。また、第１の変電所Ｔ１と第４の変電所Ｔ４は伝送装置２を備えているため、この実施の形態では第２の変電所Ｔ２と第３の変電所Ｔ３に増幅器６を配設しているが、第１の変電所Ｔ１と第４の変電所Ｔ４に配設してもよい。
【００１９】
一方、各中間鉄塔Ｐ１〜Ｐ３の上側には上部接続箱５が配設され、この上部接続箱５を介してＯＰＧＷ１が接続されている。ここで、第１の中間鉄塔Ｐ１を例にして説明する。また、この実施の形態では、ＯＰＧＷ１の心線（光ファイバ）数が１２本であり、第１のＯＰＧＷ１１側から第２のＯＰＧＷ１２側への上り光信号用として６本の心線を使用し、第２のＯＰＧＷ１２側から第１のＯＰＧＷ１１側への下り光信号用として６本の心線を使用するものとする。
【００２０】
上部接続箱５は、図３に示すように、第１のＯＰＧＷ１１の一端部（一方のＯＰＧＷの一端部）を引き込む第１の挿入口５１と、第２のＯＰＧＷ１２の一端部（他方のＯＰＧＷの一端部）を引き込む第２の挿入口５２とを備えている。上部接続箱５内に引き込まれた第１のＯＰＧＷ１１と第２のＯＰＧＷ１２は、光信号検出手段としての光カプラユニット５３、５４を介して互いに接続されている。すなわち、図４、５に示すように、第１の光カプラユニット５３は、上部接続箱５側に入力される上り光信号である上り入力光信号を分光する第１の上り光カプラ（光スプリッタ、第１の分岐装置）５３１と、上部接続箱５側から出力される下り光信号である下り出力光信号を分光する第１の下り光カプラ（第２の分岐装置）５３２とを、それぞれ６つ備えている。同様に、第２の光カプラユニット５４は、上部接続箱５側から出力される上り光信号である上り出力光信号を分光する第２の上り光カプラ（第２の分岐装置）５４１と、上部接続箱５側に入力される下り光信号である下り入力光信号を分光する第２の下り光カプラ（第１の分岐装置）５４２とを、それぞれ６つ備えている。
【００２１】
各光カプラ５３１、５３２、５４１、５４２は、１つの入力信号を２分岐させる１入力２分岐タイプであり、第１の上り光カプラ５３１の一方の出力側と第２の上り光カプラ５４１の入力側とがそれぞれ接続され、第１の下り光カプラ５３２の入力側と第２の下り光カプラ５４２の一方の出力側とがそれぞれ接続されている。また、各第１の上り光カプラ５３１の入力側には、第１のＯＰＧＷ１１の上り光信号用の心線１１１〜１１６がそれぞれ接続され、各第１の下り光カプラ５３２の一方の出力側には、第１のＯＰＧＷ１１の下り光信号用の心線１１７〜１１ｃがそれぞれ接続されている。同様に、各第２の上り光カプラ５４１の一方の出力側には、第２のＯＰＧＷ１２の上り光信号用の心線１２１〜１２６がそれぞれ接続され、各第２の下り光カプラ５４２の入力側には、第２のＯＰＧＷ１２の下り光信号用の心線１２７〜１２ｃがそれぞれ接続されている。
【００２２】
また、検出用光ファイバケーブル５５が第３の挿入口５６から上部接続箱５内に引き込まれ、検出用光ファイバケーブル５５の各心線５５０１〜５５２４の一端部が、各光カプラ５３１、５３２、５４１、５４２の他方の出力側にそれぞれ接続されている。ここで、雷などによる電磁的影響を考慮して、各心線５５０１〜５５２４は非メタリックの光ファイバとなっている。一方、各心線５５０１〜５５２４の他端部は、検出通信端末（通信手段）５７に接続されている。
【００２３】
この検出通信端末５７は、各心線５５０１〜５５２４からの光信号の有無を検出するとともに、その検出結果を監視センタＣ（外部）に送信するものである。すなわち、光センサ（光信号検出手段）５７１を備え、この光センサ５７１によって各心線５５０１〜５５２４からの光信号を検出し、光信号が検出されなかった場合には、上部接続箱５の識別情報と、検出されなかった心線５５０１〜５５２４の識別情報とを、無線によって監視センタＣに送信する。ここで、この実施の形態では、光信号が検出されなかった場合（異常時）にのみ上記の情報を監視センタＣに送信し、すべての光信号が検出された場合（正常時）は、送信しないようになっている。なお、検出通信端末５７は、設置環境などに応じて、上部接続箱５内に配設してもよいし、上部接続箱５から離隔させて配設してもよい。
【００２４】
このようなＯＰＧＷ１の接続構成によって、光信号が次のように伝送される。ここで、上記と同様に第１の中間鉄塔Ｐ１を例とし、第１のＯＰＧＷ１１の第１の上り心線１１１側から上り光信号Ｓ１が送られ、第２のＯＰＧＷ１２の第１の下り心線１２７側から下り光信号Ｓ２が送られる場合について説明する。
【００２５】
まず、図４に示すように、第１の上り心線１１１から第１の上り光カプラ５３１に入力された上り光信号Ｓ１は、第１の上り光カプラ５３１によって２つに分光され、分光された一方の上り光信号Ｓ１ａが、第２の上り光カプラ５４１に入力される。さらに、第２の上り光カプラ５４１によって２つに分光され、分光された一方の上り光信号Ｓ１ｂが、第２のＯＰＧＷ１２の第１の上り心線１２１を介して第２の変電所Ｔ２側に送信される。一方、第１の上り光カプラ５３１によって分光された他方（一部）の光信号である検出用上り入力信号Ｓ１ｃは、検出用光ファイバケーブル５５の第１の心線５５０１を介して検出通信端末５７に送信される。また、第２の上り光カプラ５４１によって分光された他方（一部）の光信号である検出用上り出力信号Ｓ１ｄは、検出用光ファイバケーブル５５の第１３の心線５５１３を介して検出通信端末５７に送信される。
【００２６】
また、図５に示すように、第１の下り心線１２７から第２の下り光カプラ５４２に入力された下り光信号Ｓ２は、第２の下り光カプラ５４２によって２つに分光され、分光された一方の下り光信号Ｓ２ａが、第１の下り光カプラ５３２に入力される。さらに、第１の下り光カプラ５３２によって２つに分光され、分光された一方の下り光信号Ｓ２ｂが、第１のＯＰＧＷ１１の第１の下り心線１１７を介して第１の変電所Ｔ１側に送信される。一方、第２の下り光カプラ５４２によって分光された他方（一部）の光信号である検出用下り入力信号Ｓ２ｃは、検出用光ファイバケーブル５５の第１９の心線５５１９を介して検出通信端末５７に送信される。また、第１の下り光カプラ５３２によって分光された他方（一部）の光信号である検出用下り出力信号Ｓ２ｄは、検出用光ファイバケーブル５５の第７の心線５５０７を介して検出通信端末５７に送信される。
【００２７】
監視センタＣは、上部接続箱５（検出通信端末５７）から受信した検出結果と、一端部が上部接続箱５に接続されているＯＰＧＷ１の他端部の通信状態とに基づいて（すべての上部接続箱５からの検出結果を総合して）、ＯＰＧＷ１の障害点を判定する判定タスク（判定手段）Ｃ１を備えている。ここで、第１の変電所Ｔ１と第２の変電所Ｔ２との間に架設された第１のＯＰＧＷ１１と第２のＯＰＧＷ１２における障害点を判定する場合を例にして、判定タスクＣ１の判定ロジック（ＯＰＧＷの障害点判定方法）を説明する。また、上記と同様に、第１の変電所Ｔ１側から第２の変電所Ｔ２側に上り光信号Ｓ１が送られ、第２の変電所Ｔ２側から第１の変電所Ｔ１側に下り光信号Ｓ２が送られるとする。
【００２８】
まず、図６のケース１に示すように、第１の変電所Ｔ１から上り光信号Ｓ１の光レベルが検出された情報（一方のＯＰＧＷの他端部の通信状態）を受信し、第１の中間鉄塔Ｐ１の上部接続箱５から検出用上り入力信号Ｓ１ｃおよび検出用上り出力信号Ｓ１ｄが検出されない検出結果を受信し、かつ第２の変電所Ｔ２から上り光信号Ｓ１ｂ（図４参照）が検出されない情報（他方のＯＰＧＷの他端部の通信状態）を受信した場合には、第１の変電所Ｔ１と上部接続箱５との間、つまり第１のＯＰＧＷ１１を障害点と判定する。また、図６のケース２に示すように、第１の変電所Ｔ１から上り光信号Ｓ１の光レベルが検出された情報を受信し、上部接続箱５から検出用上り出力信号Ｓ１ｄが検出されない検出結果を受信し、かつ第２の変電所Ｔ２から上り光信号Ｓ１ｂが検出されない情報を受信した場合には、上部接続箱５内を障害点と判定する。さらに、図６のケース３に示すように、第１の変電所Ｔ１から上り光信号Ｓ１の光レベルが検出された情報を受信し、上部接続箱５から異常の検出結果を受信せず、かつ第２の変電所Ｔ２から上り光信号Ｓ１ｂが検出されない情報を受信した場合には、上部接続箱５と第２の変電所Ｔ２との間、つまり第２のＯＰＧＷ１２を（上り方向）障害点と判定する。
【００２９】
同様に、図７のケース４に示すように、第２の変電所Ｔ２から下り光信号Ｓ２の光レベルが検出された情報（他方のＯＰＧＷの他端部の通信状態）を受信し、第１の中間鉄塔Ｐ１の上部接続箱５から異常の検出結果を受信せず、かつ第１の変電所Ｔ１から下り光信号Ｓ２ｂ（図５参照）が検出されない情報（一方のＯＰＧＷの他端部の通信状態）を受信した場合には、第１のＯＰＧＷ１１を障害点と判定する。また、図７のケース５に示すように、第２の変電所Ｔ２から下り光信号Ｓ２の光レベルが検出された情報を受信し、上部接続箱５から検出用下り出力信号Ｓ２ｄが検出されない検出結果を受信し、かつ第１の変電所Ｔ１から下り光信号Ｓ２ｂが検出されない情報を受信した場合には、上部接続箱５内を障害点と判定する。さらに、図７のケース６に示すように、第２の変電所Ｔ２から下り光信号Ｓ２の光レベルが検出された情報を受信し、上部接続箱５から検出用下り入力信号Ｓ２ｃおよび検出用下り出力信号Ｓ２ｄが検出されない検出結果を受信し、かつ第１の変電所Ｔ１から下り光信号Ｓ２ｂが検出されない情報を受信した場合には、第２のＯＰＧＷ１２を（下り方向）障害点と判定する。
【００３０】
このような判定ロジックによる判定を全ＯＰＧＷ１にわたって行うことで、ＯＰＧＷ１の障害点を割り出す。つまり、第１の変電所Ｔ１と第２の変電所Ｔ２との間（ＯＰＧＷ１１、１２間）、第２の変電所Ｔ２と第３の変電所Ｔ３との間（ＯＰＧＷ１３、１４間）および、第３の変電所Ｔ３と第４の変電所Ｔ４との間（ＯＰＧＷ１５、１６間）に対して同様の判定ロジックを適用することで、どの区間ＯＰＧＷ１１〜１６に障害点があるのか、あるいはどの中間鉄塔Ｐ１の上部接続箱５内に障害点があるのかを判定するものである。
【００３１】
以上のように、このＯＰＧＷの障害点判定システムおよび障害点判定方法によれば、ＯＰＧＷ１上のどの区間に障害点があるのか、あるいはどの上部接続箱５内に障害点があるのか、さらには片方向（上り、下り方向）心線断を確実に判定することができる。
【００３２】
また、上部接続箱５に光カプラユニット５３、５４や検出通信端末５７を備えるだけでよいため、構成が簡単となる。しかも、光信号検出手段として光カプラユニット５３、５４と光センサ５７１を備えればよいため、構成をより簡単にすることができ、さらには、光カプラ５３１、５３２、５４１、５４２は耐環境性が高いため、鉄塔Ｐの頂部という厳しい環境（温度、湿度、振動など）下においても、その機能を維持することができる。また、光カプラユニット５３、５４によって光信号の光レベルが減衰しても、増幅器６によって光信号が増幅されるため、光レベルを適正に維持することができる。
【００３３】
以上、この発明の実施の形態について説明したが、具体的な構成は、これらの実施の形態に限られるものではなく、この発明の要旨を逸脱しない範囲の設計の変更等があっても、この発明に含まれる。例えば、上記の実施の形態では、判定タスクＣ１において、一端部が上部接続箱５に接続されているＯＰＧＷ１の他端部の通信状態として、各変電所Ｔ１〜Ｔ４から光レベルの検出の有無を受信しているが、次のようにするとさらに好ましい。すなわち、各変電所Ｔ１〜Ｔ４の下部接続箱４に、上部接続箱５と同様に光カプラユニット５３、５４や検出通信端末５７などを備え、各下部接続箱４から光信号の検出結果を受信して判定するものである。また、上部接続箱５内に切替スイッチを設け、常時は光信号を光カプラユニット５３、５４に通さず、障害時にのみ通すようにしてもよい。これにより、光レベルの減衰を防止し、増幅器６の配設を不要にできる。
【００３４】
さらに、上部接続箱５内が障害点であることの確認を次のようにして行ってもよい。すなわち、第１の上り光カプラ５３１と第２の下り光カプラ５４２とを２つの入力信号を２分岐させる２入力２分岐タイプとし、例えば図８に示すように、第１の上り光カプラ５３１の一方の入力側を介して検出通信端末５７側から、上部接続箱５内で断心していると判定された対象障害心線に対して光信号ＳＴを送る。そして、その心線の第２の上り光カプラ５４１から検出用上り出力信号Ｓ１ｄとして光信号ＳＴが検出されないことで、上部接続箱５内の心線断障害であることを再確認できる。また、光カプラユニット５３、５４と光センサ５７１とによって光信号検出手段を構成しているが、光信号を直接検出する光モニタを上部接続箱５内に設けるようにしてもよい。
【図面の簡単な説明】
【００３５】
【図１】この発明の実施の形態に係るＯＰＧＷの障害点判定システムの概略構成図である。
【図２】図１のシステムにおける下部接続箱と光配電盤との接続状態を示す図である。
【図３】図１のシステムにおける上部接続箱の概略構成図である。
【図４】図３の上部接続箱内の上り光信号用心線の接続状態を示す図である。
【図５】図３の上部接続箱内の下り光信号用心線の接続状態を示す図である。
【図６】図１のシステムの判定タスクにおける上り光信号の障害点を判定する判定ロジックの例を示す図である。
【図７】図１のシステムの判定タスクにおける下り光信号の障害点を判定する判定ロジックの例を示す図である。
【図８】図１のシステムにおいて２入力２分岐タイプの光カプラを配設した場合の接続状態例を示す図である。
【符号の説明】
【００３６】
１          ＯＰＧＷ
１１〜１６  区間ＯＰＧＷ
２          伝送装置
３          光配電盤
４          下部接続箱
４１        第１の下部接続箱
４２        第２の下部接続箱
５          上部接続箱（接続箱）
５３、５４  光カプラユニット（光信号検出手段）
５３１      第１の上り光カプラ（第１の分岐装置）
５３２      第１の下り光カプラ（第２の分岐装置）
５４１      第２の上り光カプラ（第２の分岐装置）
５４２      第２の下り光カプラ（第１の分岐装置）
５５        検出用光ファイバケーブル
５７        検出通信端末（通信手段）
５７１      光センサ（光信号検出手段）
６          増幅器
Ｔ１〜Ｔ４  変電所
Ｐ          送電線鉄塔
Ｃ          監視センタ
Ｃ１        判定タスク
【図１】
2009092477.tif 000003
【図２】
2009092477.tif 000004
【図３】
2009092477.tif 000005
【図４】
2009092477.tif 000006
【図５】
2009092477.tif 000007
【図６】
2009092477.tif 000008
【図７】
2009092477.tif 000009
【図８】
2009092477.tif 000010